(57)【要約】      （修正有）【課題】ネジが不要な構造となっていて、組み立てが簡単で組み立てる時間を節約することができ、更には、製造上のコストも下げることができるＬＥＤランプユニットを提供する。【解決手段】本ＬＥＤランプユニットは、放熱器１０、座体３０、及び蓋体６０を含む。前記座体は前記放熱器の一端に位置し、前記蓋体は前記放熱器の他端に位置し、前記座体には複数の第一連結部３２が設置され、各第一連結部には第一連結部材３２１が設置される。前記蓋体には複数の第二連結部６２が設置され、各第二連結部には第二連結部材６２１が設置される。前記蓋体と前記座体は、前記複数の第二連結部材と前記複数の第一連結部材の相互の接続構造を利用して結合させることができ、それにより前記放熱器は前記座体と前記蓋体の間に挟まれて固定されるため、一度に組み立てることができる。【選択図】図２
0003158429.tif 000002
【実用新案登録請求の範囲】
【請求項１】
ＬＥＤランプユニットであって、
放熱器、座体、及び蓋体を含み、
前記座体は、前記放熱器の一端に複数の第一連結部が設置され、各第一連結部には第一連結部材が設置され、
前記蓋体は、前記放熱器の他端に複数の第二連結部が設置され、各第二連結部には第二連結部材が設置され、前記複数の第二連結部の第二連結部材は前記複数の第一連結部の第一連結部材に対応して接続され、それにより前記放熱器は前記座体と前記蓋体の間に挟まれて固定される。
【請求項２】
前記放熱器の周縁に、外に向かって延出する複数の放熱プレートが設けられたを特徴とする、請求項１に記載のＬＥＤランプユニット。
【請求項３】
前記放熱器には、前記複数の第二連結部を穿設できる複数の貫通溝が設置されることを特徴とする、請求項１に記載のＬＥＤランプユニット。
【請求項４】
前記複数の第一連結部は前記座体を囲繞するように間隔を空けて設置され、前記複数の第二連結部は前記蓋体を囲繞するように間隔を空けて設置されことを特徴とする、請求項１又は３に記載のＬＥＤランプユニット。
【請求項５】
前記第一連結部材は鉤ホックであり、前記第二連結部材は鉤孔であることを特徴とする、請求項４に記載のＬＥＤランプユニット。
【請求項６】
前記第一連結部材は鉤孔であり、前記第二連結部材は鉤ホックであることを特徴とする、請求項４に記載のＬＥＤランプユニット。
【請求項７】
前記座体の後端には導電ソケットが取り付けられることを特徴とする、請求項１に記載のＬＥＤランプユニット。
【請求項８】
前記ＬＥＤランプユニットは発光モジュールを更に含み、前記発光モジュールは複数の発光ダイオードを含み、前記放熱器には収納部が設置され、前記発光モジュールは前記収納部内に収納されることを特徴とする、請求項１に記載のＬＥＤランプユニット。
【請求項９】
前記発光モジュールは更に回路基板を含み、前記回路基板の後方表面は前記収納部の内面にぴったりと貼り付けられ、前記複数の発光ダイオードは前記回路基板の前方表面に設置されることを特徴とする、請求項８に記載のＬＥＤランプユニット。
【請求項１０】
前記ＬＥＤランプユニットは更にレンズを含み、前記レンズには、前記複数の発光ダイオードに対応する複数の導光部が設置され、前記蓋体には通孔が設置され、前記レンズは前記通孔内に設置されることを特徴とする、請求項８に記載のＬＥＤランプユニット。
【請求項１１】
前記ＬＥＤランプユニットは駆動回路ユニットを更に含み、前記座体には収納スペースが設けられ、前記駆動回路ユニットは前記収納スペース内に収納されることを特徴とする、請求項１に記載のＬＥＤランプユニット。
【請求項１２】
前記駆動回路ユニットは、少なくとも一つの回路基板、及び前記回路基板に設置される複数の電子素子を含むことを特徴とする、請求項１１に記載のＬＥＤランプユニット。
【考案の詳細な説明】
【技術分野】
【０００１】
本考案はＬＥＤランプユニットに関し、特に、ネジが不要で素早く組み立てることが可能な、発光ダイオードの発光を利用したＬＥＤランプユニットに関する。
【背景技術】
【０００２】
発光ダイオード（Ｌｉｇｈｔ  Ｅｍｉｔｔｉｎｇ  Ｄｉｏｄｅ、  ＬＥＤ）は、その光電変換効率が過去二十年で急速に向上したことや、小さな体積、高効率、低消費電力、低熱量等の利点を有していることから、将来性の高い照明の光源とみられている。現在、発光ダイオードを利用した照明は、信号機、車のライト、電光掲示板及びサーチライトなどの商工業製品に幅広く適用されている。一方、従来のタングステン電球は、消費電力が大きく、使用寿命が短いなどの理由により環境保護の要件に合わず、後に開発されたＬＥＤランプユニットが従来のタングステン電球に取って代わってきている。
【０００３】
現在のＬＥＤランプユニットの構造においては、発光ダイオードが点灯する際に発熱し、高温となることを避けるために、放熱器を組み合わせることで放熱効果を向上させている。この種のＬＥＤランプユニットは、放熱器以外に座体と蓋体から構成されており、ＬＥＤランプユニットの組み立てには、一般的にネジやリベット等が用いられる。まず、前記座体をネジやリベット等で前記放熱器の一端に固定し、その後、同様にネジやリベット等を用いて前記蓋体を前記放熱器の他端に取り付ける。従って、上述の従来のＬＥＤランプユニットでは大量のネジやリベットが必要であり、ＬＥＤランプユニットを組み立てる工程が複雑で時間がかかり、コストも高くなるという問題点が生じる。
【０００４】
本考案者は、上述の欠点を改善並びに解決するために、長年に渡り当技術方面に従事してきた経験に基づき度重なる研究を行い、又、学術理論の運用を組み合わせ、上述の欠点を改善するのに合理的で有効なＬＥＤランプユニットである本考案を提出する。
【考案の概要】
【考案が解決しようとする課題】
【０００５】
本考案の主な目的は、前記座体と蓋体にそれぞれ設置された第一連結部と第二連結部を相互に連結して組み立てることにより、一度に組み立てることができるＬＥＤランプユニットを提供することにある。
【課題を解決するための手段】
【０００６】
上述の目的を達成するために、本考案のＬＥＤランプユニットは、放熱器、座体、及び蓋体を含む。前記座体は前記放熱器の一端に位置し、前記座体には複数の第一連結部が設置され、各第一連結部には第一連結部材が設置される。前記蓋体は前記放熱器の他端に位置し、前記蓋体には複数の第二連結部が設置され、各第二連結部には第二連結部材が設置され、前記複数の第二連結部の第二連結部材は前記複数の第一連結部の第一連結部材に対応して接続され、前記放熱器は前記座体と前記蓋体の間に挟まれて固定される。
【考案の効果】
【０００７】
本考案は以下の有益な効果を有する。
【０００８】
１、本考案は、複数の第一連結部と第二連結部の間の相互接続構造を利用することにより、ＬＥＤランプユニット全体を組み立てることができる。本考案は、ネジが不要な構造となっていて、組み立てが簡単になって組み立てる時間を節約することができ、更には、製造上のコストも下げることができる。
【０００９】
２、本考案は、座体の第一連結部を蓋体の第二連結部に直接接続することにより、放熱器が座体と蓋体の間に挟まれて固定されるため、一度に組立てることができ、それにより、組み立ての工程がより簡単になって組み立てる時間を節約することができる。
【図面の簡単な説明】
【００１０】
【図１】本考案のＬＥＤランプユニットの立体分解図である。
【図２】本考案のＬＥＤランプユニットの別の角度から見た立体分解図である。
【図３】本考案のＬＥＤランプユニットの組み立て後の立体図である。
【図４】本考案のＬＥＤランプユニットの平面図である。
【図５】図４のＬＥＤランプユニットを二分割した断面図である。
【考案を実施するための形態】
【００１１】
本考案の特徴及び技術内容を一層理解できるよう、以下に本考案の添付図面を参照しながら詳細説明を行う。しかしながら、添付図面は参考と説明用に供したに過ぎず、本考案に制限を課すものではない。
【実施例１】
【００１２】
図１及び図２に示すように、本考案のＬＥＤランプユニットは、放熱器１０、発光モジュール２０、座体３０、駆動回路ユニット４０、導電ソケット５０、蓋体６０、及びレンズ７０を含む。その内、放熱器１０は導電金属の材料からなり、放熱器１０の前端には収納部１１を有する。また放熱器１０の周縁には、外に向かって延出する複数の放熱プレート１２を有し、必要な放熱効果を得ることができる。
【００１３】
前記発光モジュール２０は、回路基板２１、及び複数の発光ダイオード２２を含む。複数の発光ダイオード２２は回路基板２１の前方表面に設置され、それにより回路基板２１は発光ダイオード２２と電気的に接続することができる。
【００１４】
座体３０は中空状を呈し、その内部には収納スペース３１が形成されている。座体３０は、放熱器１０の方向に延出した、複数の第一連結部３２を形成する。複数の第一連結部３２は、座体３０の周縁を囲繞するように間隔を空けて設置される。また各第一連結部３２には第一連結部材３２１が設けられている。本実施例においては、第一連結部３２の数量は四つであり、第一連結部材３２１は鉤ホックであるが、これに限定されるものではない。
【００１５】
駆動回路ユニット４０は、少なくとも一つの回路基板４１、及び複数の電子素子４２を含む。本実施例においては、回路基板４１の数量は二枚であり、複数の電子素子４２は、二枚の回路基板４１にそれぞれ設置され、各回路基板４１と電気的に接続されることで、発光モジュール２０を発光させることができる。
【００１６】
導電ソケット５０は、座体３０の後端に取り付けられる。導電ソケット５０と座体３０は、一般的によく見られる従来のタングステン電球の螺旋状金属ソケットの規格に適合していて、外部電源のコンセントと接続することができる。導電ソケット５０はそれぞれ駆動回路ユニット４０と発光モジュール２０に電気的に接続され、駆動回路ユニット４０によって外部電源は電圧変換が行われ、発光ダイオード２２が発光するのに必要な電圧を供給することができる。駆動回路ユニット４０と発光モジュール２０は、電線（図示せず）を用いて導電ソケット５０とそれぞれ電気的に接続させることができる。この電気的に接続する構造は従来の技術に属し、本考案は電気的に接続する方法を限定しないため、ここでは記載を省略する。
【００１７】
蓋体６０の中央部分には通孔６１が設けられており、また、蓋体６０は、放熱器１０の方向に延出した複数の第二連結部６２を形成する。複数の第二連結部６２は、蓋体６０を囲繞するように間隔を空けて設けられ、各第二連結部６２には第二連結部材６２１が設けられている。本実施例において、第二連結部６２の数量は四つであり、第二連結部材６２１は鉤孔であるが、これに限定されるものではない。放熱器１０には、放熱器１０を貫通する複数の貫通溝１３が設置され、複数の第二連結部６２を穿設することができる。
【００１８】
レンズ７０は透明な材質の部材からなり、レンズ７０には複数の導光部７１が設置され、複数の導光部７１は複数の発光ダイオード２２と相互に対応する。これにより、発光ダイオード２２からの光線を効率的に照射させることができ、より大きな範囲に照射させることができるようになる。
【００１９】
図３から図５に示すように、本考案のＬＥＤランプユニットを組み立てる際には、発光モジュール２０を、前記放熱器１０の収納部１１内に収納する。回路基板２１の後方表面は、放熱器１０の収納部１１の内面にぴったりと貼り付けられ、これにより前記発光ダイオード２２から生じる熱量を前記複数の放熱プレート１２に伝導させることができ、また、複数の放熱プレート１２の間を空気が対流することにより冷却効果を生じさせることができる。
【００２０】
駆動回路ユニット４０は、座体３０の収納スペース３１内に収納され、収納スペース３１内に導電ペースト（図示せず）を流し込むことで、駆動回路ユニット４０を座体３０に粘着させ、その間を熱伝導させることができる。
【００２１】
導電ソケット５０は座体３０の後端に取り付けられ、導電ソケット５０と座体３０は、一般的に良く見られる従来のタングステン電球の螺旋状金属ソケットの規格に適合しているので、外部電源コンセントに接続することができる。また、導電ソケット５０は駆動回路ユニット４０と発光モジュール２０にそれぞれ電気的に接続され、駆動回路ユニット４０によって外部電源の電圧変換を行い、発光ダイオード２２が発光するのに必要な電圧を提供することができる。なお、駆動回路ユニット４０と前発光モジュール２０は、電線（図示せず）を用いて前記導電ソケット５０とそれぞれ電気的に接続させることができる。この電気的に接続する構造は従来の技術に属し、本考案は電気的に接続する方法を限定しないため、ここでは記載を省略する。
【００２２】
蓋体６０は放熱器１０の前方側に位置し、蓋体６０の複数の第二連結部６２は放熱器１０の複数の貫通溝１３を貫通する（図５を参照）。又、座体３０は放熱器１０の後方側に位置し、複数の第一連結部３２の第一連結部材３２１（即ち、鉤ホック）は、蓋体６０の複数の第二連結部６２の第二連結部材６２１（即ち、鉤孔）に対応して接続され、放熱器１０が前座体３０と蓋体６０との間に挟まれて固定されるため、一度に組み立てることができる。
【００２３】
また、レンズ７０は蓋体６０の通孔６１内に設置され、蓋体６０と座体３０を結合させた後、複数の導光部７１は複数の発光ダイオード２２の前方に対応するように配置する。以上のようにして、本考案のＬＥＤランプユニットの組み立てが完成する。
【００２４】
また、上述した実施例の第一連結部３２の第一連結部材３２１は鉤ホックであり、第二連結部６２の第二連結部材６２１は鉤孔であるが、これに限定されるものではない。当然、第一連結部３２の第一連結部材３２１と第二連結部６２の第二連結部材６２１の両者は逆にして設置することができる。即ち、前記第一連結部材３２１を鉤孔にし、第二連結部材６２１を鉤ホックにして、前記第一連結部材３２１と第二連結部材６２１を同様に相互に連結し、一度に組み立てることができる。
【００２５】
本考案のＬＥＤランプユニットは、以下の利点と機能を有する。
【００２６】
１、本考案は、座体３０と蓋体６０に上それぞれに、対応する複数の第一連結部３２と第二連結部６２とを設けた。このため、放熱器１０、座体３０、及び蓋体６０の三者を組み立てる際に、複数の第一連結部３２と第二連結部６２の間の相互接続構造を利用することで、座体３０と蓋体６０とを結合させ、同時に放熱器１０を座体３０と蓋体６０の間に挟んで固定させることができ、それによりＬＥＤランプユニット全体を組み立てることができる。本考案は、ネジが不要な設計構造となっていて、ネジやリベットを大量に使用する必要がなく、組み立てが簡単になって、組み立てる時間を節約することができ、更には製造上のコストも下げることができる。
【００２７】
２、本考案は、座体３０と蓋体６０上それぞれに、対応する複数の第一連結部３２と第二連結部６２とを設けた。このため、ＬＥＤランプユニットを組み立てる際に、ネジやリベットで座体３０と蓋体６０を放熱器１０上に固定して取り付ける必要がない。本考案では、座体３０の第一連結部３２を蓋体６０の第二連結部６２と直接相互に連結させることで、放熱器１０は座体３０と蓋体６０の間に挟まれて固定されるため、一度に組み立てることができ、それにより組み立てが簡単になって、組み立てる時間を節約することができる。
【００２８】
上述の実施例は、本考案の登録請求の範囲を限定するものではない。当該技術分野を熟知する者が、本考案の主旨及び範囲を逸脱せずに行う各種の改良又は変更は、請求項に当然含まれるものとする。
【符号の説明】
【００２９】
１０    放熱器
１１    収納部
１２    放熱プレート
１３    貫通溝
２０    発光モジュール
２１    回路基板
２２    発光ダイオード
３０    座体
３１    収納スペース
３２    第一連結部
３２１  第一連結部材
４０    駆動回路ユニット
４１    回路基板
４２    電子素子
５０    導電ソケット
６０    蓋体
６１    通孔
６２    第二連結部
６２１  第二連結部材
７０    レンズ
７１    導光部
【図１】
0003158429.tif 000003
【図２】
0003158429.tif 000004
【図３】
0003158429.tif 000005
【図４】
0003158429.tif 000006
【図５】
0003158429.tif 000007
【手続補正書】
【提出日】平成22年2月3日(2010.2.3)
【手続補正１】
【補正対象書類名】実用新案登録請求の範囲
【補正対象項目名】全文
【補正方法】変更
【補正の内容】
【実用新案登録請求の範囲】
【請求項１】
放熱器、座体、及び蓋体を含み、
前記座体は、前記放熱器の一端に複数の第一連結部が設置され、各第一連結部には第一連結部材が設置され、
前記蓋体は、前記放熱器の他端に複数の第二連結部が設置され、各第二連結部には第二連結部材が設置され、前記複数の第二連結部の第二連結部材は前記複数の第一連結部の第一連結部材に対応して接続され、それにより前記放熱器は前記座体と前記蓋体の間に挟まれて固定されることを特徴とする、ＬＥＤランプユニット。
【請求項２】
前記放熱器の周縁に、外に向かって延出する複数の放熱プレートが設けられたことを特徴とする、請求項１に記載のＬＥＤランプユニット。
【請求項３】
前記放熱器には、前記複数の第二連結部を穿設できる複数の貫通溝が設置されることを特徴とする、請求項１に記載のＬＥＤランプユニット。
【請求項４】
前記複数の第一連結部は前記座体を囲繞するように間隔を空けて設置され、前記複数の第二連結部は前記蓋体を囲繞するように間隔を空けて設置されことを特徴とする、請求項１又は３に記載のＬＥＤランプユニット。
【請求項５】
前記第一連結部材は鉤ホックであり、前記第二連結部材は鉤孔であることを特徴とする、請求項４に記載のＬＥＤランプユニット。
【請求項６】
前記第一連結部材は鉤孔であり、前記第二連結部材は鉤ホックであることを特徴とする、請求項４に記載のＬＥＤランプユニット。
【請求項７】
前記座体の後端には導電ソケットが取り付けられることを特徴とする、請求項１に記載のＬＥＤランプユニット。
【請求項８】
前記ＬＥＤランプユニットは発光モジュールを更に含み、前記発光モジュールは複数の発光ダイオードを含み、前記放熱器には収納部が設置され、前記発光モジュールは前記収納部内に収納されることを特徴とする、請求項１に記載のＬＥＤランプユニット。
【請求項９】
前記発光モジュールは更に回路基板を含み、前記回路基板の後方表面は前記収納部の内面にぴったりと貼り付けられ、前記複数の発光ダイオードは前記回路基板の前方表面に設置されることを特徴とする、請求項８に記載のＬＥＤランプユニット。
【請求項１０】
前記ＬＥＤランプユニットは更にレンズを含み、前記レンズには、前記複数の発光ダイオードに対応する複数の導光部が設置され、前記蓋体には通孔が設置され、前記レンズは前記通孔内に設置されることを特徴とする、請求項８に記載のＬＥＤランプユニット。
【請求項１１】
前記ＬＥＤランプユニットは駆動回路ユニットを更に含み、前記座体には収納スペースが設けられ、前記駆動回路ユニットは前記収納スペース内に収納されることを特徴とする、請求項１に記載のＬＥＤランプユニット。
【請求項１２】
前記駆動回路ユニットは、少なくとも一つの回路基板、及び前記回路基板に設置される複数の電子素子を含むことを特徴とする、請求項１１に記載のＬＥＤランプユニット。